(57)【要約】      （修正有）【課題】御飯を掬うしゃもじにおいて、御飯の付着率を抑え、さらに御飯を掬う部分の強度を強化したしゃもじを提供する。【解決手段】御飯を掬う部分３と取手部分５を有するしゃもじ１において、御飯を掬う部分３を弾性体６で形成し且中央部に孔２を設けると共に御飯を掬う部分３と取手部分５を被覆する網目部材４とする。その網目部材はその網に係る圧力をより多く分散させ且その孔やその弾性体でその圧力を吸収させると共にその網で架橋した御飯をその網目部材とその孔による通気性とその通気による多量の空気の接触とその弾力なる反発によりその御飯粘着を即退き更にその御飯を掬う部分やその取手部分のその圧力の係りにくい面から被覆させることによりその孔を有する御飯を掬う部分を強化させ壊れにくい部材とする。【選択図】図１
0003193874.tif 000002
【実用新案登録請求の範囲】
【請求項１】
御飯を掬う部分（３）と取手部分（５）を有するしゃもじ（１）にお
いて前記御飯を掬う部分（３）を弾性体（６）で形成し且中央部に孔（２）
を設けると共に前記御飯を掬う部分（３）と取手部分（５）を被覆する網
目部材（４）を設けたことを特徴とするしゃもじ。
【請求項２】
前記孔を御飯を掬う部分の面積に対して７０％から８０％のドーナツ
形状とすることを特徴とする請求項１記載のしゃもじ。
【請求項３】
前記網目部材の網目なる網幅を直径０．５ミリ以上１ミリ未満とし前
記網と網の間の目幅を１ミリ以上２ミリ未満としたことを特徴とする請
求項１または２記載のしゃもじ。
【請求項４】
前記弾性体を樹脂製の弾性体としたことを特徴とする請求項１記載の
しゃもじ
【請求項５】
前記弾性体を金属製の弾性体としたことを特徴とする請求項１記載の
しゃもじ。
【請求項６】
前記弾性体を木製の弾性体としたことを特徴とする請求項１記載のし
ゃもじ。
【請求項７】
前記弾性体を滑材を含む弾性体としたことを特徴とする請求項１記載
のしゃもじ。
【請求項８】
前記御飯を掬う部分と取手部分を同一材の弾性体で形成したことを特
徴とする請求項１乃至７のいずれか一項に記載のしゃもじ。
【請求項９】
前記孔周部に係る前記御飯を掬う部分を前記しゃもじ外周端部の肉厚
より徐々に薄く形成したことを特徴とする請求項１乃至８のいずれか一
項に記載のしゃもじ。
【請求項１０】
前記孔に係る網目部材を一枚とし前記御飯を掬う部分の外周の表裏を
被覆したことを特徴とする請求項１乃至９のいずれか一項に記載のしゃ
もじ。
【請求項１１】
前記網目部材を弾力部材としたことを特徴とする請求項１乃至１０の
いずれか一項に記載のしゃもじ。
【請求項１２】
前記弾力部材を繊維質としたことを特徴とする請求項１１記載のしゃ
もじ。
【請求項１３】
前記御飯を掬う部分と取手部分の境目に該境目側面から突出する弾性
体の突起を設けたことを特徴とする請求項１乃至１２のいずれか一項に
記載のしゃもじ。
【請求項１４】
前記御飯を掬う部分と網目部材と取手部分を熱可塑性樹脂で形成した
ことを特徴とする請求項１乃至１３のいずれか一項に記載のしゃもじ。
【請求項１５】
前記網目部材に脂肪酸誘導体とエポキシ化植物油を含浸させたことを
特徴とする請求項１乃至１４のいずれか一項に記載のしゃもじ。
【請求項１６】
前記網目部材に滑度を有する滑材を含浸させたことを特徴とする請求
項１乃至１５のいずれか一項に記載のしゃもじ。
【請求項１７】
前記滑材をフッ素樹脂としたことを特徴とする請求項１６記載のしゃ
もじ。
【請求項１８】
前記取手部分に複数の孔を設けたことを特徴とする請求項１記載のし
ゃもじ。
【請求項１９】
前記取手部分の面積に対して前記複数の孔を４０％から６０％とした
ことを特徴とする請求項１８の記載のしゃもじ。
【考案の詳細な説明】
【技術分野】
【０００１】
本考案は御飯を掬うしゃもじにおいてその御飯の付着率の高いしゃもじ
に係る御飯を掬う部分となる圧力の係りやすい支点をなくすこととなるし
ゃもじに係るその圧力分を吸収なせる形成とする御飯を潰さない形状で圧
力を吸収するそのしゃもじの御飯を掬う部分の中央部に孔を設けることや
通気性のいい部材形成でそのしゃもじで掬う御飯へ大幅に空気を接触させ
る形状にすると同時にその多く空気が接触するその御飯をそのしゃもじ形
成からなるその粘着反発動作を与えることにより即そのしゃもじ側面から
退き御飯粘着率を完全に抑えることのなせる部材とし更にそのしゃもじに
係る圧力面と異なる面からその圧力面を支え強化する簡易的に形成できる
しゃもじに関する。
【背景技術】
【０００２】
しゃもじは現在かなりの進歩を遂げつつあり素晴らしい技術のある中での
そのしゃもじの外周端部となる先端部やその側面から突出させる多数からな
る形状の突起となるエンボス形成等はそのしゃもじの御飯を掬う部分で薄く
形成するそのしゃもじ先端部やそのしゃもじ側面から突出させる多数からな
るそれぞれの突起なる突先端部でそのしゃもじで御飯を掬うその取手部分か
ら加わる圧力やその御飯から係る圧力のそれらの圧力をそのしゃもじの各面
積から少なくするそれらの突先に集中させる支点面となることやその先端部
やその側面から突出する突起はそれらの支点に係る圧力の分散率が少し満た
ない形状面とする為それらの突先なる力の係りやすい支点で御飯を軽度に潰
しその御飯は潰すことでその御飯は粘着度が増しそのしゃもじに御飯付着率
を高めるものとなっていることが現状でありまたそのしゃもじ側面から突出
する凸部と逆のその部面により空気は送れる形成となり御飯はその凸部でき
ちんと架橋され非常に良い点があるがしかしその空気を拾える範囲はそのし
ゃもじがほぼ樹脂や金属等で凝縮して形成される為空気は拾いにくいものと
いうことに係るそのしゃもじ側面なる凝縮で固定される形成イコール固定空
気接触比率となり尚そのしゃもじに接触する御飯のそのしゃもじに設けるフ
ッ素樹脂やその凝縮固定形成からなる側面でのその御飯に与える反発作用性
の比率度合いが微量に足りない為そのしゃもじに接触した御飯を更にそのし
ゃもじで御飯を繰り返し掬うことや繰り返し撹拌するそれらの積み重なる圧
力により御飯は軽度や中度に潰れその潰れた御飯の破片やその御飯の粒子が
粘着に変わることによりその御飯をそのしゃもじに付着させることや完全に
その御飯粘着を防ぎきれないというそれらの問題点があった。
【先行技術文献】
【特許文献】
【０００３】
【特許文献１】特開２００２−１９１５１３
【考案の概要】
【考案が解決しようとする課題】
【０００４】
しゃもじはそのしゃもじ先端部の薄い支点やそのしゃもじ側面から突出す
る動くこととしない固定する網目形状や突起等を有するそれらのしゃもじ面
はその取手部分から伝わる力やそのしゃもじで掬う御飯から係るそれらの圧
力をそれぞれ示すその少ない突先に集めその圧力を逃がすことなくその力の
係りやすい支点で軽度に御飯を潰しそのしゃもじに御飯の付着率を高めるも
のとなりまたそれぞれのそのしゃもじから突出させる突起はそのしゃもじに
係る圧力を直接受け止めその圧力が係るまま繰り返しその御飯を掬う為その
御飯はその圧力に耐えることなくその繰り返しなる中度の圧力で潰してしま
い御飯粘着度をあげるものとなる為そのしゃもじに御飯を付着させるそのし
ゃもじに係る圧力が軽度から中度に変わることが原因となりまたそのしゃも
じは仮に樹脂等の凝縮された形成であると共にその硬い凝縮面にそのしゃも
じ側面から突出させる形成に係るその側面に網状固定突起や固定突起及び多
孔形成等のそのしゃもじ側面でそのしゃもじに係る圧力で動作することとし
ない固定加工形成がなされる為そのしゃもじで掬う御飯へ接触するそのしゃ
もじ側面はそのしゃもじ形成での仮に樹脂や金属等で凝縮固定される固定空
気接触比率度となりその為そのしゃもじで掬う御飯への接触させる空気面は
限られることによるその御飯の付着率がやや高い形成やもしくはほぼ御飯が
付かないということや御飯がこびり付かないことのそれぞれに係るそれらの
しゃもじは完全に御飯粘着を防ぎきれないということやまたそのしゃもじに
係る取手部分がそのしゃもじを仮に炊飯釜に保管することに対しその取手部
分に凹部等を形成しその凹みによりその熱をそのしゃもじを握る手に伝えに
くい形成とするがしかしその取手部分は凝縮された部材形成である為熱が伝
わりやすいと共にその熱が逃げにくいというそれらの問題点があった。本考
案はそのしゃもじに係るその御飯を掬う部分の全面に係る圧力分を逃がす形
成とする為その御飯を掬う部分を弾性体で形成し且その御飯を掬う部分の中
央部に孔を設けると共にそのしゃもじの御飯を掬う部分と取手部分に網目部
材を設けることによりそのしゃもじの御飯を掬う部分に係る弾性体なる硬度
をその網目部材で補強するものとなりまたその御飯を掬う部分から延長させ
るその取手部分のそれらに係る網目部材はそのしゃもじに係る御飯を掬う部
分をその圧力の係りにくい取手部分からの延長で補強するものとなりまたそ
のしゃもじの御飯を掬う部分の中央部となるその孔に係るその網目部材はそ
の網にかかる圧力をその網と重なるその中央部の孔なる空間部でその係る圧
力分一をその網による形成の弾みやその網が孔に逃げることによる弾みのそ
れらによりそのしゃもじの御飯を掬う部分に係るその一の圧力をそれぞれ動
きのあるその網目部材の弾みにより一逃がしえる形成とすると共にそのしゃ
もじに係る特に一番の重要ポイントとなる一番力の係りやすい外周端部やそ
の網目部材を支える外周となる側面をその弾性体で形成し且その網目部材を
設けることによりその孔と同じような作用となるその外周端部や外周等にう
ける前記圧力一をその弾性体を介するその網目部材によりその網はその弾性
体のそのしゃもじに係る圧力方向に沿ってその弾力なる動く形成となる網目
部材とすることによりその御飯を掬う部分にかかる圧力一を一逃がしえるも
のとなり記した数値は仮数値となるがその御飯を掬う部分全面にその動きを
加える形成とすることによりそのしゃもじに係る圧力分を逃がしえる面とな
る為その御飯を掬う部分は御飯を潰すことなくその御飯の粘着度の増加を防
ぎそのしゃもじで掬う御飯の付着を防ぐものとし次にその網目部材の網は仮
にその御飯粒を平面とするとその平面となる御飯はその網からなる左右方向
の長い網と上下方向の長い網のそれらで確実にその例えとなる御飯の平面を
架橋する為その平面が傾くことなくその網目部材へその御飯の目詰りなる粘
着を防止すると共にその網はその上下左右からなるそれぞれの網からなるそ
の左右網を仮に一の段差部としまたその一の段差部に重なりクロスさせるそ
の上下網を二の段差部となりその網目部材は仮に細かく二段階の段差を有す
る為そのしゃもじで掬う御飯にそのクロスで空気を拾いやすい形成とすると
共にその網はそのクロスの頂部以外は全て空気を確保できる形状面となり且
その網目部材なるそのしゃもじの孔に係る網目部材面は凝縮された部材面を
有さない為やその孔によりその網目部材は動くことが可能な部材となる為そ
のしゃもじの御飯を掬う部分に係る圧力からその弾力を介することのできる
網目部材からなるその部材が弾力なる変形によりその示すクロスの頂部でも
その変形なるその網目部材の網やその目の移動となる為その網目部材のずれ
により微量差の空気確保部となりその変形に対する網移動を簡易的に述べる
と仮にそのしゃもじなる定位置とする網目部材を平面とするその網目部材に
係るその網と目の位置とまた仮にその定位置なる網目部材となるその平面に
圧力を与え曲線としたその網目部材に係る網と目の位置のそれらの形状なる
網目部材のそれぞれの網と目の位置はずれるものとなりその網目部材形成は
その移動も含め多量の空間部となることやまたその曲線とする網目部材から
定位置に戻るその網と目のずれ戻しの繰り返しによるその御飯に反発をおこ
しその御飯を弾く一つの効果となりまたその網目部材は凝縮形成としない為
通気性はよいものとなりよってそのしゃもじに係る圧力を分散させながら確
実に御飯を架橋しそのしゃもじで掬う御飯のそれぞれが繋がり集合する御飯
粒に接触する空気比率を向上させる形成面となるその網目部材に接触するそ
の御飯の圧力を吸収しながらそれぞれ示す弾力なる反発効果を利用してその
場で跳ね返すものとなる為その御飯を繰り返し掬うことによるそのしゃもじ
側面に係る圧力の積み重ねによる粘着を防ぐものとしそのしゃもじに接触す
る御飯粒に繰り返し圧力を与えないというものとなりそのしゃもじで御飯を
掬うものとしまた形成一例となるがその御飯を掬う部分と同時にその取手部
分のほぼ全体面をその網目部材を設ける形成とすることによりその取手部分
はその網目部材により熱を吸収しにくい形成となると共にその取手部分に係
る熱を逃がしやすいものとなる為そのしゃもじをその御飯を炊く炊飯器内で
保管することも可能となりまたその御飯を掬う部分から取手部分に延長させ
る網目部材はその取手部分に係る繋ぎ目部分迄のその取手一部分を被覆させ
その圧力の係りにくい面からの延長でそのしゃもじに係るその御飯を掬う部
分の強度の強化を目的として形成してもよいとしそれらを統合させる形成と
することによりそのしゃもじを完全に御飯がつかないと形成に結びつけるそ
の孔を有するしゃもじを強化させるそのしゃもじの生産性を踏まえて形成し
たものとなる。
【課題を解決するための手段】
【０００５】
本考案１は
御飯を掬う部分（３）と取手部分（５）を有するしゃもじ（１）において
前記御飯を掬う部分（３）を弾性体（６）で形成し且中央部に孔（２）を
設けると共に前記御飯を掬う部分（３）と取手部分（５）を被覆する網目
部材（４）を設けたことを特徴とするしゃもじを提供。
【０００６】
本考案２は
前記孔を御飯を掬う部分の面積に対して７０％から８０％のドーナツ形
状とすることを特徴とするしゃもじを提供。
【０００７】
本考案３は
前記網目部材の網目なる網幅を直径０．５ミリ以上１ミリ未満とし前記網
と網の間の目幅を１ミリ以上２ミリ未満としたことを特徴とするしゃも
じを提供。
【０００８】
本考案４は
前記弾性体を樹脂製の弾性体としたことを特徴とするしゃもじを提供。
【０００９】
本考案５は
前記弾性体を金属製の弾性体としたことを特徴とするしゃもじを提供。
【００１０】
本考案６は
前記弾性体を木製の弾性体としたことを特徴とするしゃもじを提供。
【００１１】
本考案７は
前記前記弾性体を滑材を含む弾性体としたことを特徴とするしゃもじを
提供。
【００１２】
本考案８は
前記御飯を掬う部分と取手部分を同一材の弾性体で形成したことを特徴
とするしゃもじを提供。
【００１３】
本考案９は
前記孔周部に係る前記御飯を掬う部分を前記しゃもじ外周端部の肉厚よ
り徐々に薄く形成したことを特徴とするしゃもじを提供。
【００１４】
本考案１０は
前記孔に係る網目部材を一枚とし前記御飯を掬う部分の外周の表裏を被
覆したことを特徴とするしゃもじを提供。
【００１５】
本考案１１は
前記網目部材を弾力部材としたことを特徴とするしゃもじを提供。
【００１６】
本考案１２は
前記弾力部材を繊維質としたことを特徴とするしゃもじを提供。
【００１７】
本考案１３は
前記御飯を掬う部分と取手部分の境目に該境目側面から突出する弾性体
の突起を設けたことを特徴とするしゃもじを提供。
【００１８】
本考案１４は
前記御飯を掬う部分と網目部材と取手部分を熱可塑性樹脂で形成したことを特徴とするしゃもじを提供。
【００１９】
本考案１５は
前記網目部材に脂肪酸誘導体とエポキシ化植物油を含浸させたことを特
徴とするしゃもじを提供。
【００２０】
本考案１６は
前記網目部材に滑度を有する滑材を含浸させたことを特徴とするしゃも
じを提供。
【００２１】
本考案１７は
前記滑材をフッ素樹脂としたことを特徴とするしゃもじを提供。
【００２２】
本考案１８は
前記取手部分に複数の孔を設けたことを特徴とするしゃもじを提供。
【００２３】
本考案１９は
前記取手部分の面積に対して前記複数の孔を４０％から６０％としたこ
とを特徴とするしゃもじを提供。
【考案の効果】
【００２４】
本考案１は
御飯を掬う部分（３）と取手部分（５）を有するしゃもじ（１）におい
て前記御飯を掬う部分（３）を弾性体（６）で形成し且中央部に孔（２）
を設けると共に前記御飯を掬う部分（３）と取手部分（５）を被覆する網
目部材（４）を設けたことを特徴とする為まずそのしゃもじに係る御飯を
掬う部分の全面に係る圧力をよりよく分散させると共にそのしゃもじの
空気比率を高め且その圧力分を吸収させることやそのしゃもじを強化さ
せることのそれらを目的とするその御飯を掬う部分を弾性体で形成し且
中央部に孔を設けると共に御飯を掬う部分と取手部分を網目部材で被覆
とする為その網目部材がその弾性体やそのしゃもじの御飯を掬う部分の
弾性体とその孔を有する御飯を掬う部分をその圧力の係りにくいその取
手部分から補強する形成となりその御飯を掬う部分に係る孔と重なるそ
の網上に係る圧力分をその孔なるその網目部材の逃げる空間部やその網
なる形成による弾力でその網目部材は動くことが可能な部材としそのし
ゃもじに係る圧力分を逃がしえるものとすると共にその網を支えるその
孔以外のその御飯を掬う部分は弾性体とする為その弾性体に係るその網
目部材はそのしゃもじの御飯を掬う部分に係る圧力分をその弾性体のク
ッションやその網目なるクッションで吸収させる形成面となりよって一
番力の係りやすい特に一番の重要ポイントとなるそのしゃもじの御飯を
掬う部分に係る外周端部に係る先端部且外周となる側面等はそのクッシ
ョンを介する動きを可能とするそのしゃもじに係る圧力を分散し吸収な
せる網目部材となりそれぞれの動きなる圧力吸収によりその御飯を確実
に潰さない形成となる為御飯の粘着度の増加を防ぐものとなり次にその
網目部材は左右からなる網と上下からなる網のそれぞれの網が重なる形
成とするその網目部材はその左右からなる網を一段階目の高さとなる段
差部とその網とクロスさせる上下からなる網の二段階目の高さとなる段
差のそれらの高さの異なる段差からなるダブル段差突起となるそのしゃ
もじに係る平面視は他方のそれぞれの外周端部を繋ぐ長さの網目となる
為その長さを有するそのダブルの網目により確実に御飯を架橋しその長
さによりクロスさせるその網でその網に係る圧力をより多く分散させる
と共にそのしゃもじで掬う御飯により多くの空気を密着させその示す二
段階目の網目部材の頂部となるそのクロスさせるその屈折点以外は全て
空気や外気を確保できる形成面とする為より多くの空気を拾う部面とな
り更にその網目部材で架橋されるその御飯のそれぞれの粒なる集合する
御飯面に多くの空気を与えることとなるその網目部材は通気性がよく空
気なる外気を送ることに適する部材となりまたその網目部材に係る弾性
等で変形するその網目部材の網と目のずれによりその網目部材に接触す
る御飯面により多くの空気を与えることができる形成面となる為その網
が屈折する支点もその網目変形なるその網の動作によりその網目部材の
網や目となる空間部が微量に移動する為その網目部材なる支点が空気確
保部に微量に変わることとなりその網と目の変形なるずれ戻しによるそ
の御飯接触の反発がおきまたそのしゃもじは樹脂や金属に係る強度を保
つ凝縮形成と異なるものとなる為そのしゃもじで掬うその集合する御飯
粒により多くの空気や空間部と接触させることやその多量の空気が接触
することからのその網目部材に係るその弾力の効果となるそのしゃもじ
に接触する御飯をその弾力の反発を利用してその御飯の圧力を吸収し即
退くものとなる為そのしゃもじでその御飯を掬うことの繰り返しからな
るその御飯に繰り返し圧力を与えることなくそのしゃもじの御飯を掬う
部分にそのしゃもじで掬う御飯の密着を防ぐものとなり更にその網目部
材はその御飯を掬う部分と取手部分のそれぞれに網目部材を設けること
によりその取手部分を介するその網目部材とその御飯を掬う部分の網目
部材を連結し設ける形成とするその御飯を掬う部分は補強されその孔を
有する弾性体の御飯を掬う部分の強度はその圧力が係りにくい取手部分
から補強連通させ安定するものとなりその取手部分の網目部材形成はそ
のしゃもじの御飯を掬う部分とその取手一部分からなるそれらの繋ぎ目
部分のみでその網目部材を被覆し形成するとその補強連通によりその御
飯を掬う部分の強度を強化させることやまた御飯がその取手部分につき
やすい仮に一升炊く御飯釜に使用する長いしゃもじに適しその御飯の高
さによるその取手部分への御飯なる粘着を防ぎまたその網目部材を取手
部分全体に被覆することによりその形成しゃもじはその示すしゃもじを
強化させると共にその取手部分がその網目部材の通気性やその網目部材
面は熱が伝わりにくい凝縮形成と異なる為熱に強い簡易的な形成となり
それらを統合する形成によりそのしゃもじ形成を御飯が完全に付かない
そのしゃもじの強度を踏まえた形成に繋げることとする。
【００２５】
本考案２は
前記孔を御飯を掬う部分の面積に対して７０％から８０％のドーナツ形
状とすることを特徴とする為その御飯を掬う部分とその孔の実験例比率
となるがそのしゃもじには網目部材があることを考慮し仮にその御飯を
掬う部分の面積に対しその孔を５０％から６０％の範囲内でそのしゃも
じを形成するとまずそのしゃもじの壊れにくさに関しては非常に良いが
それらの比率となるそれぞれの孔に係るその網目部材は通気性のよい網
目部材面が減少する為そのしゃもじで掬う御飯の付着率を高めるものと
なりまたその御飯を掬う部分の面積に対して７０％から８０％のそれぞ
れの孔となるその範囲内で形成することによりその網目部材の通気性が
増すと共にその孔以外の御飯を掬う部分はその網目部材の被覆を踏まえ
るとその御飯を掬う部分が壊れにくいものとなり且その孔に係る網目部
材面でそのしゃもじに係る圧力を逃がすことやそのしゃもじを仮に樹脂
や金属で形成する際に適する強度に係る適切なその区間なる範囲となり
またその御飯を掬う部分の面積に対してその孔を９０％として形成する
とその孔以外の御飯を掬う部分に歪みが生じることやその孔以外の御飯
を掬う部分の変形損傷が起きやすい比率となりそれら踏まえてその示す
確率となる７０％から８０％の範囲を指定しそのしゃもじに係る御飯の
離れやすさやそのしゃもじの壊れにくさのそれらをグラフにして示しそ
れらの交わる交点の係る範囲を推奨するものとなる。
【００２６】
本考案３は
前記網目部材の網目なる網幅を直径０．５ミリ以上１ミリ未満とし前記
網と網の間の目幅を１ミリ以上２ミリ未満としたことを特徴とする為そ
の御飯一粒に係る幅なる小粒を７ミリとしてもよいが仮に自己計測での
５ミリとするその網幅の直径を０．５ミリとする大きさとその目なる幅
を１ミリとするとその５ミリなる御飯を架橋するその網の数は０．５ミ
リの網が四本とその四本の中間目となる幅１ミリが三幅となりそれぞれ
の幅を足すと５ミリとなる為その５ミリの御飯粒はその四本で架橋され
る為仮にその四本に係る力は四分の一となる為そのしゃもじに係る圧力
を抑えることのできるものとなりまたその網幅を０．５ミリとしその目
なる幅を２ミリとするとその御飯の幅となる５ミリに係るその網は０．
５ミリが２本とそれぞれの網の間となる目の幅は一つの幅となり２ミリ
幅となる為それぞれの幅を足すと３ミリとなりその２本の網でその御飯
粒を架橋する為そのしゃもじに係る力は二分の一となりそれら記した数
値は仮に目安数値となりそのしゃもじに係る網目部材の左右の網を除く
上下方向のみの仮数値となり尚その網による長さを有する部材形状によ
り一点なる支点としない長さとなる為力の分散率は大幅に高くなるもの
となりまたその網幅の直径を１ミリとしその目幅を１ミリとするとその
御飯の５ミリに対しその網が三本で三ミリとなりそれぞれの目はその三
本となるそれぞれの中間の二か所の目となるその中間目幅１ミリが２か
所で２ミリとなる為その網目は５ミリとなりその網なる三本で御飯を架
橋しその網目部分に係る力は三分の一となりそれぞれの上下なる網目幅
に左右の網目幅が加わるものとなりまたその網幅の直径を１ミリとしそ
の中間目を２ミリとするとその御飯粒幅の５ミリに対しその網が二本と
その中間目幅を２ミリの４ミリとなりその二本で御飯を架橋するものと
なる為その網目に係る力は二分の一となり仮にその網の直径をその０．
５ミリより少なくするとその部材は細くなる為強度不足となりまたその
網の直径を１ミリ以上とするとその御飯に接触する面積値が高くなる為
御飯の付着率を上げてしまうものとなりまたその目となる幅を１ミリ以
下とするとその目となる空間部は少ないものとなる為空気確保部は減少
しまたその目となる幅を２ミリ以上とするとその御飯を架橋する部面は
減少する為やその御飯を目詰りさせやすい幅ともなりその御飯粒の大き
さ等を踏まえてその網目となるそれぞれの間隔や幅を推奨するものとし
その網目は上下なる網と左右なる網を交差させることによりそのしゃも
じに係る力は非常によく分散させるものとなり初期の自己実験ではその
網の直径は０．５ミリとするその網幅は２ミリとするものでその網の係
るしゃもじの御飯を掬う部分の全面で完全に御飯の粘着を防ぐこととす
る。
【００２７】
本考案４は
前記弾性体を樹脂製の弾性体としたことを特徴とする為その御飯を掬う
部分やその取手部分の形成一例となるがそのしゃもじに対する樹脂とそ
の弾性体を有する樹脂で混合しそのしゃもじを形成することによりその
しゃもじの硬さの微調整ができると共にそのしゃもじの弾性体を壊れに
くい硬さとする形成ができまたその御飯を掬う部分やその取手部分をそ
の樹脂製の弾性体として統一させることにより簡易的な形成ができるも
のとなりまたその樹脂を硬い部材で形成し基盤を作りその硬い部材にそ
の弾性体で被覆することによりその硬い基盤によりしゃもじを壊れにく
いものとなる形成とすると共にその弾性体を被覆することとなる網目部
材によりそのしゃもじで御飯を掬う圧力はその弾性体を介する網目部材
によりそのしゃもじに係る圧力分を吸収させそのしゃもじは御飯の付着
を防ぐことのできる形成とし尚その御飯を掬う部分に係る弾性体はその
網目部材が補強するものとする。
【００２８】
本考案５は
前記弾性体を金属製の弾性体としたことを特徴とする為その本考案１形
成となるその御飯を掬う部分の面積に対しその御飯を掬う部分に係る孔
をその弾性体を金属製の弾性体とすることにより強度を保つ形成とする
為大きく形成することができるようになりその為その御飯を掬う部分は
そのしゃもじで掬う御飯にその大きい孔により空気をより多く与えるこ
とのできる形成なる為そのしゃもじに御飯の付着率を大幅にさげること
ができる形成となりまたその金属製の弾性体は弾力を有する形成となる
為その孔以外のその御飯を掬う部分に係る外周且外周端部はその弾力有
する金属にその網目部材を介する為その網目部材はそのしゃもじで掬う
御飯の圧力分を逃がすことのできる形成となる。
【００２９】
本考案６は
前記弾性体を木製の弾性体としたことを特徴とする為その木をそのし
ゃもじに使用し形成することによりそのしゃもじは香りがよくそのし
ゃもじで掬う御飯にその香りを与えるものとなりまたその木はそのし
ゃもじ係る圧力に対し強く湾曲しにくい性質をもつ為そのしゃもじの
御飯を掬う部分の上下長さよりその取手部分の上下長さが長いという
そのような長さを有するしゃもじに適合する部材となる。
【００３０】
本考案７は
前記弾性体を滑材を含む弾性体としたことを特徴とする為仮にその弾性
体はその御飯を付着させない為の形成ではなくその御飯を退く部材面は
そのしゃもじに係る網目部材４側面でありその弾性体はそのしゃもじの
洗浄に係る水きりを良くする為の部材面となりその為その弾性体を仮に
その洗浄に係る水を弾く部材で有ればよいものとなり仮にその弾性体を
シリコンとすることによりそのシリコンの強度調整も簡易的に行えるも
のとすると共にそのシリコンはそのしゃもじで示すその網目部材の下層
部となる為そのシリコン特有の水をはじく形成とすることによりその網
目部材の下部に水を貯蓄することなく且その水の乾燥度を高める為衛生
面で良いものとなりまたそのシリコン強度を通常のシリコンのみの強度
を常時観察してもその網目部材の凹凸なるその凸突出に対応しやすい弾
力となりそれら踏まえてそのシリコンを色々な部面で日々良く使いその
しゃもじなる網目部材に統合させるとよいものとなりまた仮にそのしゃ
もじなる取手部分の弾性体をその滑材を有する形成となる仮にそのシリ
コンとする形成によりその御飯を掬う部分と取手部分を同じシリコン形
成することができ形成面でも簡易的なものことができ且その取手部分は
その水に係る汚れなどを受け付けない形成となりそのシリコンをフッ素
樹脂を含む弾性体としてもよいものとなりその滑材にはその水をはじく
為の滑材や御飯を退く為の滑材等がある為そのシリコン形成としても多
数の使い分けなる形成方法が異なるものとなる。
【００３１】
本考案８は
前記御飯を掬う部分と取手部分を同一材の弾性体で形成したことを特徴
とする為そのしゃもじに係る御飯を掬う部分は弾性体とする為その取手
部分も弾性体とすることによりそのしゃもじ形成は簡易的なものとなり
更にその弾性体とる仮に微量な弾力によりその取手部分を握ることやそ
のしゃもじを扱うことに関しその取手部分は心地よい弾力を与えること
によりそのしゃもじを握りやすいそのしゃもじでの撹拌等に係る動作が
疲れにくい部材なりまたその弾性形成は多数あるがそのしゃもじの内部
を高硬度の部材で形成しその高硬度の部材の周りをその弾性体で被覆す
ることやまたそのしゃもじの御飯を掬う部分に弾力を与える形成とする
為にその御飯を掬う部分とその取手部分の繋ぎ目を弾性体として形成す
ることもできそれぞれその弾性体には様々な形成がありその取手部分よ
りそのしゃもじの圧力方向に伴う弾力なる湾曲形成でもよいものとなり
その御飯を掬う部分やその取手部分が弾力を有する弾性体となれば別部
材の弾性体を被覆してもよいものとなる。
【００３２】
本考案９は
前記孔周部に係る前記御飯を掬う部分を前記しゃもじ外周端部の肉厚よ
り徐々に薄く形成したことを特徴とする為その孔以外の御飯を掬う部分
をそのしゃもじの外周端部から孔にかけて仮に徐々に肉厚が薄くする形
状とすることによりまずそのしゃもじで御飯を掬うその御飯に係る圧力
をその斜面により受けにくい形成面とすると共にその孔に係る網目部分
にそのしゃもじに係る圧力を集まりやすくしまたそのしゃもじは網目部
材を被覆する為その斜面に網を被覆するとその孔にその被覆する網が集
まりそのことによりその孔に係る網を一枚で形成しやすい形状とする為
その網なる両側面が洗浄しやすいしゃもじ形成ができ尚そのしゃもじ側
面にその斜面に沿って緩やかな斜面なる曲線等ができるものとしその御
飯を掬う部分に圧力を与えにくい形成と共にその網目部材を被覆しやす
くする形成且その網目部材の洗浄がしやすいことに繋がる形成とする。
【００３３】
本考案１０は
前記孔に係る網目部材を一枚とし前記御飯を掬う部分の外周の表裏を被
覆したことを特徴とする為そのしゃもじ両側面なるその御飯を掬う部分
となるその孔に係る網目部材を一枚として形成することによりそのしゃ
もじに係る網目部材面は洗浄しやすい網目被覆形成となり仮にその孔に
係る網は二重に離間して被覆するとその網目部材の通気性は減少すると
共にその網目部材の内側面は洗浄しにくいものとなる為その孔に係る網
目部材を一枚で形成しその御飯を掬う部分の外周の表裏をその網目部材
で被覆したものとする。
【００３４】
本考案１１は
前記網目部材を弾力部材としたことを特徴とする為その網目部材を弾力
部材形成とすることによりまずそのしゃもじで御飯を掬うその御飯が接
触する初期段階の部材面はその網目部材となる頂部となる為仮にその網
目部材を弾力としない固定形成とするとそのしゃもじに係る初期圧力は
その網目部材の下部層が弾性体となるその弾性体にその網目を介して間
接的に伝えるものとなり微量ではあるが圧力を受けやすい形成となる為
その初期なる網目部材から弾力を有せるものとし確実にその御飯に圧力
を与えることとしない形成とし初めに実験したしゃもじ形成がそのしゃ
もじに微弾性のある網目部材を貼り付け加工したものとなりまたその弾
性部材形成ということはそのしゃもじとなる御飯を掬う部分なるその孔
を利用するその網目部材の変形を妨げない変形なる部材弾力移行もある。
【００３５】
本考案１２は
前記弾力部材を繊維質としたことを特徴とする為仮に一例形成となるが
その網目部材に係るその弾力部材を低硬度な繊維質とすることによりそ
の繊維は圧力を加えると形を変え伸縮するものとなりその軟らかい繊維
クッションによりその御飯やそのしゃもじに係る圧力をその繊維の微量
な弾力により軽減させるものとするそのしゃもじで掬う御飯等の圧力を
逃がしやすい形成としまたその繊維質を仮に熱可塑性の繊維質として形
成できるものとなり仮に弾力を有するナイロンとして形成することもで
きまたそのナイロンを硬く形成してもそのしゃもじに係る御飯を掬う部
分に係るその孔によりその網目部材の変形を妨げない弾力網目部材形成
も可能となりその弾力部材には低硬度部材からなる弾力や圧力をかける
と動く高硬度からなる弾力もある。
【００３６】
本考案１３は
前記御飯を掬う部分と取手部分の境目に該境目側面から突出する弾性体
の突起を設けたことを特徴とする為その弾性体の突起によりそのしゃも
じの未使用時はその御飯を掬う部分を浮かせて側面に置くことができま
たその突起は仮に硬く形成することによりそのしゃもじを握るその手に
違和感を与えることとなるその突起なる突出となる為その突起を弾性体
とすることによりそのしゃもじを握る違和感をなくし心地よい握りとす
ると共にその弾性体をその仮にゴムとして形成するとそのしゃもじを置
くその突起はそのしゃもじ置き場なる側面に対し滑りにくいものとなる
為そのしゃもじは安定しその収納場所を傷つけることなく収納できるも
のとする。
【００３７】
本考案１４は
前記御飯を掬う部分と網目部材と取手部分を熱可塑性樹脂で形成したこ
とを特徴とする為それぞれのしゃもじに係る形成は熱に対応なせるもの
となりその熱によるその部材に耐熱性を与えるものとしそのしゃもじに
係ることとなる部材や形成等もそれぞれのしゃもじ部面の一環とする。
【００３８】
本考案１５は
前記網目部材に脂肪酸誘導体とエポキシ化植物油を含浸させたことを特
徴とする為そのエポキシ化植物油の滑度を利用してその網目部材に御飯
付着なる粘着を即切り離すものとなりその網目部材に耐熱性を持たせる
可塑剤となりそのエポキシ化植物油等の滑度と共にそのしゃもじの網目
部材に係る弾性変形効果となるその網目部材で御飯を弾く効果を同時に
利用しそのしゃもじに係る御飯粘着を退くものとし仮にその示す滑度は
御飯を退く為の滑度とする。
【００３９】
本考案１６は
前記網目部材に滑度を有する滑材を含浸させたことを特徴とする為その
しゃもじなる網目部材にその滑材を含浸させることによりその滑材でそ
の御飯を滑らせるもしくはその御飯粘着を退く形成となり共にその網目
部材を保護するものとしその滑材の滑度と共にそのしゃもじの網目部材
に係る弾性変形効果となる御飯を弾く効果を同時に利用しそのしゃもじ
に係る御飯粘着を退くものとし仮にその示す滑度は御飯を退く為の滑度
とする。
【００４０】
本考案１７は
前記滑材をフッ素樹脂としたことを特徴とする為そのフッ素を含むオレ
フィンを重合して得られる合成樹脂の総称であり耐熱性または耐薬品性
の高さや摩擦係数の少ないことが特徴となる為その網目部材の空気率と
共に御飯の付着を防ぐものとしそのフッ素樹脂の滑度と共にそのしゃも
じの網目部材に係る弾性変形効果となる御飯を弾く効果を同時に利用し
そのしゃもじに係る御飯粘着を防ぐものとする。
【００４１】
本考案１８は
前記取手部分に複数の孔を設けたことを特徴とする為そのしゃもじに係
る御飯を掬う部分と取手部分のそれらの繋ぎ目部分にその孔を有するこ
とにより親指に力係りやすくまたそのしゃもじの後端部に近くの孔はそ
れぞれ設ける孔より大きく形成するとその大きい孔によりフック等に掛
けやすい孔となり一番の目的はその御飯を掬う部分は面積や重さを伴う
為その御飯を掬う部分の孔に伴うその取手部分の複数の孔形成のそれぞ
れの孔で軽量しゃもじとする。
【００４２】
本考案１９は
前記取手部分の面積に対して前記複数の孔を４０％から６０％としたこ
とを特徴とする為その比率はそのしゃもじに係る取手部分の損傷を防ぐ
ことやそのしゃもじを軽量とすることに係るそのしゃもじに網目部材を
被覆させることを踏まえて推奨する比率となりその取手部分の面積に対
しその孔を３０％とするとその孔比率は少ない為そのしゃもじの軽量化
はあまり望めない物となりまたその取手部分の面積に対しその孔を７０
％とするとその孔以外の取手部面が少ないことによりそのしゃもじを使
用することによりそのしゃもじの損傷が起きやすいものとなりまたその
取手部分の面積に対しその孔を４０％から６０％とするとそれらの範囲
なる孔の比率でそのしゃもじは軽量にすることができると共にその孔以
外のその取手部面はそのしゃもじを使用することやそのしゃもじを握る
それらの使用圧力に対応できる補強面積とする為そのしゃもじの損傷を
防ぐものとしそれらを踏まえてその示す比率範囲を推奨するものとし仮
にその御飯を掬う部分の面積に対しその孔を６０％としその取手部分の
面積に対しそれぞれの複数の孔を６０％とするとそのしゃもじの重さを
自己計測で３０グラムのそのしゃもじに対しそれぞれの孔でなくなる部
分は１８グラムとなる為それぞれの孔を有するそのしゃもじは１２グラ
ムに減少する為そのしゃもじに被覆する部材で強度等の効果をえること
のできる形成部材重量やそのしゃもじに設ける部材重量等のそれらの重
量を与えてもそのしゃもじは重さを感じることなく扱える部材となる。
【図面の簡単な説明】
【００４３】
【図１】本考案に係る統合するしゃもじの正面図。
【図２】しゃもじ実験例の概略図。
【図３】しゃもじの掬う部分の孔比率の概略図。
【図４】網目部材の形成概略図。
【図５】しゃもじ形成一例概略図。
【図６】網目部材形成一例概略図。
【図７】しゃもじ形成一例概略図。
【図８】しゃもじ形成一例概略図。
【図９】しゃもじ形成一例概略図。
【図１０】網目部材形成一例概略図。
【図１１】しゃもじの収納一例概略図。
【考案を実施するための形態】
【００４４】
以下、本考案の好適な実施例を図面に基づいて説明する。
【００４５】
図１は本考案に係る統合されたしゃもじの一例を示す正面図である。
【００４６】
図１は御飯を掬う部分（３）と取手部分（５）を有するしゃもじ（１）
において前記御飯を掬う部分（３）を弾性体（６）で形成し且中央部に孔
（２）を設けると共に前記御飯を掬う部分（３）と取手部分（５）を被覆
する網目部材（４）を設けたことを特徴とすることを示しまずそのしゃも
じ１を樹脂や金属等の凝縮で形成される形成や木製で形成するそれぞれの
形成でのそのしゃもじ１で御飯を掬う部分３にその御飯が接触するその接
触面に多くの空間部や空気と共に外気を与えることのできるしゃもじ１と
することやまたそのしゃもじ１で掬う御飯に圧力を与えず且その御飯を潰
すことなくその御飯粘着度の増加を防ぐことや及びそのしゃもじの強度を
保てる形成を重点に置きそれらを目的とするそのしゃもじ１の御飯を掬う
部分３を弾性体６で形成し且中央部に孔２を設けると共にその御飯を掬う
部分３と取手部分５に網目部材４を被覆することによりその御飯を掬う部
分３に係る網目部材４はそのしゃもじ１を樹脂等の凝縮で形成するよりそ
の網目部材４に接触する御飯となるその接触面に御飯接触空気比率を大幅
に高めるものとなりまたその網目部材４はその弾性体６なる強度の補強や
その孔２を有する御飯を掬う部分３をその御飯を掬う部分３からその圧力
の係りにくい取手部分５に連通延長させ設けることによりその圧力の係る
御飯を掬う部分３を補強させその御飯を掬う部分３の強度を強化させるも
のとなり尚その網目部材４は仮に左右なる長さを有する網７と上下からな
る網７のそれらの網７をクロスさせながら交互に編み込む形成とすること
によりその左右なる網７を第一の段差部としまたその上下なる網７を第二
の段差部となるそれらの網７が重なるそのクロスする交差部分はその第一
とその第二のそれぞれの段差となる突起によるダブル突起となる仮に微量
な段差を持つ形成面とすることによりその御飯接触面に空気接触率をその
左右なる網７やその上下なる網７をそのしゃもじ１側面から同じ高さで形
成するより大幅に向上さえるものとなりその網目部材４の通気性とそのダ
ブル突起によりその網目部材４の上部面はそのしゃもじ１で掬う御飯接触
面により多くの空気を確保し且その御飯を掬う部分３の中央部に孔２を形
成するその御飯を掬う部分３にその網目部材４は被覆される為その網目部
材４はその孔２により外気の影響を受け通気性は保たれるものとなりまた
その網目部材４はその左右となる長さを有する網７とその上下となる長さ
を有する網７からなるその網目部材４形成側面はそれらの長さを有する部
材面に接触するそのしゃもじ１に係る圧力は仮にそのしゃもじ１側面から
凸部ともなるその上下左右の長さを有さないエンボス形成のようなその長
さが短い突起よりその圧力分散率はその長さによるその網目部材の上部面
の多さにより高くまたその網７をその御飯面に対しよりその網７となる上
下左右のそれぞれの形成網をよりその御飯から係る圧力には限界はあるが
その上下左右でクロスする網をより多くの本数やより多くの網目部材の目
のそれぞれの部分が上手重なりその御飯を架橋することによりそのしゃも
じ１に係る圧力の分散率は高くなるものとなり且その目によりその御飯に
空気を与えるそのような形成となり更にそれらの長さを有する形成面で確
実に御飯を架橋する為やその網目部材なるその段差の突起はその弾力によ
り凹む為平面に近づく空気を確保できる形成面となりその御飯を掬う部分
３の圧力分散率は高いものとなり更にその圧力の分散率を向上させる為そ
のしゃもじ１の御飯を掬う部分３の中央部に孔２を有することによりその
網目部材４はそのしゃもじ１に係る圧力をその孔２と重なるその網目部材
４のその網目部材４を固定としない動きを自在に可能とする形成とするこ
とによりそのしゃもじ１に係る圧力分に応じるその網７の移動弾力により
その圧力を吸収させそのしゃもじ１に力が係りにくい形成とすると共にそ
の孔２以外の御飯を掬う部分３を弾性体６として形成する為その弾性体６
に重なる網目部材４からなるそのしゃもじ１側面やそのしゃもじ１外周端
部に係りやすい圧力をその弾性体６を介する網目部材４によりそのしゃも
じ１に係る圧力でその網を動かしそのしゃもじ１に係る圧力分を吸収させ
るものとしその孔２とその弾性体６のそれらを介するその御飯を掬う部分
３に係る圧力分をそれぞれの動きを可能とする網目部材４によりそのしゃ
じ１に係る御飯を掬う部分の全面が圧力を吸収する為御飯を潰すことなく
その御飯をそのしゃもじ１に係る網目部材４に接触させ且その接触面に係
る接触空気比率度が高いそのしゃもじ１側面に係るその御飯は粘着度を増
加させない状態でその御飯とその網目部材４の多量の空気なる接触とその
しゃもじ１の弾力なる反発でそのしゃもじ１で掬う御飯をその場で即弾き
返すものとする為完全に御飯が付かないしゃもじ１にすることが可能とな
り更にその網目部材４がその弾力なる移動を遂げることによりその御飯に
接触する空間部なる位置がその御飯面となる空気と接触してない位置へと
微量に変わる空間部網目変形移動がおきその網目空間部移動でそのしゃも
じ１で掬う御飯を退く一効果となり仮にその左右なる網７やその網目が０．
１ミリずれることにより０．１ミリ分の空気をその御飯とそのしゃもじ１
の接触する空気比率度追加しその微量空気を追加後またその網目部材４の
反発により定位置へと戻るその網７と目８の微量に交互にずれるそのずれ
戻しによるその御飯反発もおきることとなりそれらの形成は実験によりそ
のしゃもじ１に御飯を付着させないことを完全になしたものとし更にその
前途記した網目部材４をそのしゃもじ１となる御飯を掬う部分３からその
取手部分５へと連通させ延長させて設けることによりそのしゃもじ１に係
る御飯を掬う部分３を補強すると共に仮に形成一例となるがその取手部分
５のほぼ全体面をその網目部材４で被覆することによりその取手部分５は
その網目部材４により熱を帯びにくいとなることやその網目部材４は吸収
した熱を冷ましやすいものとなりまたそのしゃもじ１形成はそれぞれ異な
るがその網目部材４をその御飯を掬う部分３からそのしゃもじ１の取手部
分５に係る繋ぎ目部分３９までのその圧力の係りにくい取手部分５の一部
を被覆させることによりそのしゃもじ１の御飯を掬う部分３の強度を重点
とする形成に繋がりそのしゃもじ１を介してそれぞれ記した形成を与える
しゃもじ１とするそのしゃもじ１形成を簡易的にできる形成を重点に置き
形成したものとする。
【００４７】
図２は本考案１で述べたそのしゃもじ１と御飯の付着実験で使用した部
材やその実験を示したものとなりその網目部材４に使用した部材は塩化ビ
ニル樹脂なる網７とその塩化ビニル樹脂で複数のポリエステル繊維を被覆
する網７のそれらの網７で編み込む耐熱温度は八十度となりややその耐熱
性は低いものとするがその網目部材４を初期実験でそのしゃもじ１に係る
御飯のお釜内のお米の下に敷いてそのお米を炊いた結果その網目部材４を
敷くこととしないその御飯のお釜内側面には御飯が付着してすぐさま取れ
ないものとなるがその網目部材４を敷くそのお釜内側面はその御飯は一粒
もその網目部材４に御飯が粘着されずその御飯の一片も付着することなく
完全に剥がれるものとなりそのお釜内のその側面側の御飯はその網目部材
４上で約二十時間後固まり始めその固まり始めた御飯はその網目部材４に
ついてしまうこととなるがその御飯を硬くしない実験を行ったことからの
その御飯が付かないという理論を追及しながらその網目部材４をしゃもじ
１にあてるものとしそのしゃもじ１を介する網目部材４を分解するとまず
その一方となる仮に左右からなる網７はその塩化ビニル樹脂の内部に複数
のポリエステル繊維がありそのポリエステル繊維があることにより微弾性
を有する塩化ビニル樹脂とそのことによりその網目部材４を被覆するその
しゃもじ１はそのしゃもじ１で御飯を掬う圧力を逃がしながらその弾力圧
力低下部材なる側面によりその御飯を掬っていることとなりその御飯を見
るとそれぞれの御飯粒が潰されず１００％原型を維持し次にその網目部材
４なる網７の目を見るとその目が非常に多いということやその網目部材４
に息を吹きかけると通気性が高いということやその左右からなる網７やそ
の上下からなる網７のそれらをクロスさせて編み込む形成によりそれぞれ
の網なる長さでその御飯を確実に架橋しその長さによりそのしゃもじ１に
係る圧力を確実にその網目部材の広範囲に分散させていることとなりその
御飯を傾かせることなく確実にその御飯を架橋させるということはその御
飯を平面に置いた状態と似ている類似点があり尚その架橋と同時にその御
飯とその網目部材４の接触面は空気確保率が非常に高い上にその微量なる
弾力でそのしゃもじ１に係る圧力を吸収した後その接触する御飯をその弾
力なる反発でその御飯を即座に弾くものとなり更に次の観点となる多数あ
るそのしゃもじ１のほぼ御飯が付かない、御飯がこびり付かないそれらの
しゃもじ１等を多数購入しそれぞれのしゃもじ１を常時観察した結果それ
らのしゃもじ１はそのしゃもじ１側面から突出するエンボス形成やそのし
ゃもじ１側面に形成する固定網目形成や柄等のそれらに係るしゃもじ１の
外周端部やそれらのしゃもじ側面に係る形成部がそのしゃもじ１なる仮に
樹脂の凝縮形成での圧力を受けやすいそのしゃもじ１側面が伸縮せずに動
くこととしない固定される形成でありその為そのしゃもじ１に圧力の係り
やすい部分に御飯が潰された形跡の御飯が付着することやある一定な特に
そのしゃもじの外周端部やまたその側面からの突出固定形成部に御飯が付
いてしまうものとなりその従来形成とする初期となるしゃもじ１使用時は
ほぼ御飯が付かない、御飯がこびり付かないというそれらのしゃもじは多
少その御飯粒やその欠片が軽度に付くものなりまたそのしゃもじ１を繰り
返しその御飯を掬うことやその御飯を撹拌することによりその御飯付着が
中度の頻度でその付着が増すものとなりそれらの形成面となるそれぞれの
御飯付着を確実に解決する為にその御飯を掬う部分３に係る弾性体６やそ
の孔２を介した網目部材４とすることとなりまた本考案１ではなぜその網
目部材４を弾性体６とせずにそのしゃもじ１の御飯を掬う部分３の弾性体
６を介してその網目部材４を被覆したのかという点に関しその網目部材４
はその上下左右なるどちらかの網７を高硬度形成にすることによりその網
７はその一方の網７を弾性体としても強度は保たれるものとなるがその網
目部材４は御飯が常に接触する部分でもありまた常に洗浄する部分でもあ
る為そのしゃもじ１の御飯を掬う部分３を弾性体６としその弾性体６を介
して網目部材４を設けることによりその網目部材４の強度は保たれるもの
となりまたその弾性体６となる強度をその被覆する網目部材４で保護でき
るものとなりまたその御飯を掬う部分３には孔２を有する形成とする為そ
の御飯を掬う部分３の繰り返し係る圧力によるしゃもじ１劣化を防止する
為その御飯を掬う部分３からその取手部分５までその網目部材４を連通さ
せ延長させることによりその孔２を有するその御飯を掬う部分３の強度は
保たれる形成となりそのしゃもじ１は壊れにくい部材とすることができそ
のしゃもじ１を使用することができてそのしゃもじ１に係る圧力に対応で
きそのような本考案１なる部材強化を目的とした形成となりそのしゃもじ
１は仮にそのしゃもじ１の壊れにくい強度を踏まえた微弾性を与える通気
率の高い形成とすることにより完全に御飯が付かないという強度を踏まえ
たしゃもじ１形成に繋がることに到達させるものとする。
【００４８】
図３は前記孔２を御飯を掬う部分３の面積に対して７０％から８０％の
ドーナツ形状３５とすることを特徴とすることを示し仮その孔２は網目部
材４のその御飯を掬う部分３やその取手部分５へその網目部材４を被覆の
形成として溶着や接着または覆うことでのその孔２は隠れ見えにくいもの
となりその網目部材４は樹脂に問わずその樹脂と異なる部材からなるその
網７と目８を有する形成となればよいものとなる為仮にそのしゃもじ１の
色彩にこだわりとするその御飯を掬う部分３の網目部材４とその取手部分
の網目部材の色や形はっきり区別することやまたそれらの色を同色に近い
形成とする自然なしゃもじ１とすることもできまたその網目部材４を被覆
するそのしゃもじ１もまたその樹脂と異なる形成としてもよいものとし仮
にそのしゃもじ１に係る部材をそれぞれの形成と異なる複数の部材を用い
て形成してもよいものとなりその御飯を掬う部分３の中央部に孔２を設け
る大きさは様々となるがそのしゃもじ１の重量や硬度且その網目部材４の
被覆等を踏まえてそのしゃもじ１の肉厚を自己測定での三ミリとしその御
飯を掬う部分３の面積に対してその孔２の比率を示したものとなり仮にそ
の孔２比率をその御飯を掬う部分３の面積に対して５０％から６０％とす
るとそのしゃもじ１の御飯を掬う部分３の強度は保たれることとなり良い
ものとするがその孔２からえる通気性を考慮する形成とするその御飯を掬
う部分３の中央部での固定としない圧力吸収度合いをその係る圧力に応じ
変える形成とすることを損ねることやまたそのしゃもじ１とその御飯の接
触面に空気を与えにくい形成となりそのしゃもじ１で掬う御飯の付着率の
増加に繋がりまたその御飯を掬う部分３の面積に対してその孔２を９０％
以上とするとそのしゃもじ１側面の空気比率は高めるがその孔２以外のそ
の御飯を掬う部分３はほぼなくなる為その御飯を掬う部分３の損傷に繋が
りそれら比率を踏まえそのしゃもじ１で掬う御飯により多くの空気を密接
させ尚そのしゃもじ１の御飯を掬う部分３の硬度を保てる形成とするとい
うそれらを合わせてそれぞれの関連性を考慮するとその御飯を掬う部分３
の面積に対してその孔２を７０％から８０％とすることによりそのしゃも
じ１で掬う御飯により多くの空気を密接させることやその孔２に被覆する
その網目部材４はその孔２を利用して半永久的に弾力をなせるものとなり
及びその孔２以外の御飯を掬う部分３の強度も安定した形成ができるもの
としまたその指定する範囲をグラフにまとめそのしゃもじ１に係るそれぞ
れの孔２の大きさによりそのしゃもじ１で掬う御飯に接触させる空気比率
でのそのしゃもじ１から御飯の離れやすさやそのしゃもじ１の壊れにくさ
のそれらの利点の関連グラフ数値の交点が係る範囲を推奨するものとし仮
に図示はないがその御飯を掬う部分３に係る孔２を複数として設けること
や多孔質形成として形成することやまたそのしゃもじ１の御飯を掬う部分
３を通気を有する形成とするそれぞれの孔２と異なる形状なる孔２やまた
溝や穴等の形成としてもよいものとしそのしゃもじ形成はその網目部材４
のみでもその御飯を掬う部分３やその取手部分５を形成することもできま
た一例となるがその取手部分５に係る網目部材４に滑り止め効果のある部
材を与えることやその滑り止めを与える形成等やまたその網目部材のその
網の形成次第で滑り止め効果を与える網目部材４ともなり一例となるがそ
のしゃもじ１形状と異なる形状しゃもじ１にその網目部材を設けることも
可能となる。
【００４９】
図４は前記網目部材４の網目なる網７幅を直径０．５ミリ以上１ミリ未
満とし前記網７と網７の間の目８幅を１ミリ以上２ミリ未満としたことを
特徴とすることや前記御飯を掬う部分３と取手部分５を同一材の弾性体６
で形成したことを特徴とすることやまた前記弾性体６を滑材１９を含む弾
性体６としたことを特徴とするそれらを示しまずその網目部材４に接触す
る御飯粒をその網目で確実にその御飯を傾かせることなく架橋させること
やその網目なる目８に御飯の目詰りをさせないことやまたその網目部材４
に係るその御飯の圧力の分散率を高めるそれらを目的とし前記本考案３で
も記したものとなるがそのしゃもじ１で掬う御飯一粒に係る幅なる小粒を
７ミリとしてもよいが仮に自己計測での５ミリとするその網７幅の直径を
０．５ミリとする大きさとその目８幅を１ミリとするとその５ミリなる御
飯を架橋するその網７の数は０．５ミリの網７が四本とその四本が平行に
並ぶその網７の中間の目８となる幅１ミリが三幅となりそれぞれの網７と
その中間幅の目８を足すと５ミリとなる為その５ミリの御飯粒はその網７
の四本で架橋される為仮にその四本に係る力は四分の一となる為そのしゃ
もじ１に係る圧力を抑えることのできるものとなりまたその網７幅を０．
５ミリとしその目８幅を２ミリとするとその御飯の幅となる５ミリに係る
その網７は０．５ミリが二本とそれぞれの網７の間となる目８の幅は一つ
の幅となるその２ミリ幅となる為それぞれの網７とその目８幅を足すと３
ミリとなりその網目部材４はその二本の網７でその御飯粒を架橋する為そ
のしゃもじ１に係る力は二分の一となりそれら記した数値は仮に目安数値
となりそのしゃもじ１に係る網目部材４の左右の網７を除く上下方向なる
網７のみの仮数値となり尚その網７によるその上下の長さを有する部材形
状により一点なる支点としない長さとなる為力の分散率は大幅に高くなる
ものとなりまたその網７幅の直径を１ミリとしその目８幅を１ミリとする
とその御飯の５ミリに対しその網７が三本で３ミリとなりその三本の網７
となるそれぞれの網７の中間となる二か所の目８となるその中間の目８幅
１ミリが２か所で２ミリとなる為その網目部材４では５ミリとなりその網
７なる三本でその御飯を架橋しその網目部分４に係る力は三分の一となり
それぞれ示す上下なる網目幅にその左右の網７や網なる目８幅が加わるも
のとなりまたその網７幅の直径を１ミリとしその網７に係る中間の目８を
２ミリとするとその御飯粒幅の５ミリに対しその網７が二本とその網７に
係る中間の目８幅を２ミリのそれらを合わせて４ミリとなりその網目部材
４はその網７の二本で御飯を架橋するものとなる為その網目に係る力は二
分の一となり仮にその網７の直径をその０．５ミリより少なくするとその
部材は細くなる為強度不足となりまたその網７の直径を１ミリ以上とする
とその御飯に接触する面積値が高くなる為御飯の付着率を上げてしまうも
のとなりまたその目８幅を１ミリ以下とするとその目８となる空間部は少
ないものとなる為空気確保部は減少しまたその目８幅を２ミリ以上とする
とその御飯を架橋する部面は減少する為やその御飯を目詰り粘着させやす
い幅ともなりその御飯粒の大きさ等を踏まえてその網目となるそれぞれの
間隔や幅を推奨するものとしその網目は上下なる網７と左右なる網７を交
差させることによりそのしゃもじ１に係る力は非常によく分散させるもの
となりその示す範囲でそのしゃもじ１に係る網目部材４を形成することに
よりその網目部材４はそのしゃもじ１で掬う御飯に係る圧力をその御飯面
の長さを有する数か所支点とすることにより、よりよくそのしゃもじに係
る圧力を分散させまたその網目部材４なるその目に御飯を目詰りさせるこ
となく行える形成となりまたしゃもじ１形成に係る取手部分５を仮に微量
な弾性体６とその御飯を掬う部分３の弾性体６と合わせる形成とすること
によりそのしゃもじ１は簡易的に形成することができるものとなりそのし
ゃもじ１の弾力基準は仮にそのしゃもじ１側面から凹む０．１ミリ以上の
変形なる弾力であればそのしゃもじは微弾性体となりその弾性体６の変形
なる幅はそのしゃもじ１に係る複数の圧力数値を考慮しそれぞれの数値に
対応なせる幅広いものとし仮に一例となるがその変形なる凹み具合の数値
を述べるとその網目部材６の左右からなる網７を仮に平面としその左右の
網７にクロスする上下からなる網７のそれらの網７が重なる部分の突出な
る高さ数値を踏まえてその高さを基準に考えていけばよいものとなりその
弾力にその網目部材４の通気性等を加えることとなりその網目部材４の網
７や目８による圧力分散から更にその網目部材の弾力による圧力吸収が加
わりまた前記弾性体６を滑材１９を含む弾性体６とすることによりその網
目部材４の下部層となるその御飯を掬う部分３にそのしゃもじ１の洗浄に
係る水を貯蓄させない形成となりその滑材１９には金属なる滑度や樹脂な
る滑度、植物油による滑度、可塑剤を利用する滑度、塗膜による滑度、電
解物質を利用する滑度、その網目部材の温度変化を利用する滑度というそ
れぞれの滑材１９はその弾性部材６から仮に水を滑らせることに係る部材
あればその滑材１９はその弾性部材６より低硬度な部材でも高硬度な部材
でもよいものとしフッ素樹脂２０やシリコン１０も滑材１９の一例となり
また仮にその御飯を掬う部分３と取手部分５に係るその弾性体６をシリコ
ン１０として形成することによりその御飯を掬う部分３からなるその網目
部材４の下層部となるそのシリコン１０となる弾性体６は水を弾く部材と
する為その御飯を掬う部分３の水の貯蓄を防止し衛生面でその効果を発揮
すると共にその取手部分５に係るそのシリコン１０となる弾性体６もまた
その御飯を掬う部分３と同じ効果を得られるものとし且そのシリコン１０
なる弾性体６の弾力を利用しその網目部材４に力を係りにくいその圧力を
吸収できる動きを加える網目部材としそのシリコン１０は水弾き率は非常
に良いとするがしかし御飯の付着率にはやや欠けるものとなる為その網目
部材４の内側にはいい部材となりその滑材１９は大きく分けるとそのしゃ
もじ１から水をはじく為の滑材１９とそのしゃもじ１から御飯を弾く為の
滑材１９がありそれぞれその滑材はそのしゃもじに係る部材面の用途によ
りその滑材は異なる部材となることがあり仮に一例となるがその本考案形
成しゃもじと異なる部材形状に弾力を有する部材を設けても同じような形
成となる。
【００５０】
図５の（ａ）は前記孔２周部に係る前記御飯を掬う部分３を前記しゃも
じ１外周端部の肉厚より徐々に薄く形成したことを特徴とすることや前記
孔２に係る網目部材４を一枚とし前記御飯を掬う部分３の外周３４の表裏
を被覆したことを特徴とするそれらを示したものとなりその御飯を掬う部
分３に高低差なる傾斜や曲線を形成することによりそのしゃもじ１に係る
その御飯を掬う部分３は圧力を受けにくい形成面とすると共にその網目部
材４をその御飯を掬う部分３に被覆することに係る溶着や接着等のその網
目部材４がその御飯を掬う部分３の中央部となる孔２にその御飯を掬う部
分３に係る外周端部の肉厚からの高低差を経て集まりやすい形成となる為
その孔２に係る網目部材４をその斜面に応じる形成でその孔２に係る網目
部材４を仮に二枚とせずに一枚で形成しやすくすることによりその網目部
材４をそのしゃもじ１が洗浄しやすいその孔２に係る網目部分４に繋がる
こととなり（ｂ）は前記網目部材４を弾力部材１２としたことを特徴とす
ることを示しその弾力には様々な見方をするものとなるがまずその網目部
材４となる網７を弾力部材１２形成とすることによりそのしゃもじ１で掬
う御飯が一番初めに接触する部分はその網目部材４の頂部となりそのしゃ
もじ１はその御飯を掬う部分３を弾性体６とする形成となるその網目部材
４からのその弾性体６迄の距離を微量ではあるが有す為そのしゃもじ１で
掬う御飯からの圧力はその網目部材４を弾力としない固定形成とするとそ
のしゃもじ１に係る圧力は微量であるが伝えにくいものとなる為その網目
部材４を仮に微量な弾性部材１２とすることによりその網目部材４の頂部
に係る圧力をその網目部材４のその弾力を介しながらそのしゃもじ１なる
弾性体６面にそのしゃもじに係る圧力を逃がしえる形成となりそのことに
よりその網目部材４は御飯を潰すことなくその御飯をその網目部材４の次
の効果とするその通気性を利用する多くの空気をその御飯に接触させるこ
とによりそのしゃもじ１側面に対しその御飯が接触する側面の多数面が空
気の接触部分となるその御飯はそのしゃもじ１の弾力なる反発効果により
即退くものとなりその反発効果をより簡易的に述べるとその網目部材４を
凹凸と例えその凸部をその御飯の圧力により形を仮に平面に変えるとしそ
の弾力なる反発効果によりその平面から元の状態となるその凸部へ形を戻
す時にその御飯を跳ね返すというものとなりよってその網目部材４効果に
よるその空気を多く拾うその御飯はその微量な反発で簡単に剥がれそのし
ゃもじ１に密着させないものとなりまたその網目部材４を弾力部材１２で
形成するということはその網目部材４のその網７なる弾力に限らずそのし
ゃもじ１なるその御飯を掬う部分３に係る孔２に張る形成によるその網目
部材４なる動きを阻害としない反発もその弾力部材１２の効果ともなりま
た一例となるがそのしゃもじ１からなるその御飯を掬う部分３と取手部分
５からなるそれらの部分の繋ぎ目部分３９を仮に弾力形成とするとその網
目部材４は弾力を有する形状ともなりその網目部材４の係るその御飯を掬
う部分３等が反発効果のある弾力を有する形成とすればその御飯を掬う部
分３を介することとなる網目部材４は弾力を有する弾力部材形成に繋がり
仮にそのしゃもじ１の反発に係る弾性体６の形成をその本考案形成と異な
るしゃもじ１を用いて説明するとそのしゃもじ１の御飯を掬う部分３やそ
の取手部分５を弾性体６として形成するとその御飯を掬う部分３は弾力を
有する形成となりまた仮にその考案なるしゃもじ１と異なるそのしゃもじ
１の側面やその異なる側面となる多数形状からなる突出部や凹部または孔
形成及びそのしゃもじ１の御飯を掬う側面やそのしゃもじ１に係る部材面
を弾性体６で形成し示すとそれぞれの突出部や凹部等のそのしゃもじ１側
面の形成等に係る圧力はその弾力を有する形成となるそれぞれの形成面は
伸縮しその圧力で変形したそのしゃもじ１側面はその御飯が空気を多く拾
うことのできる形成により御飯はその弾力なる反発により弾かれるものと
なる為そのしゃもじ１に係る部材やそのしゃもじ１形成に係る部材面を弾
性体６として形成することができる為それぞれ記したしゃもじ１形状と異
なる形状しゃもじ１やその弾力を介するその記した形成と異なるしゃもじ
１形状としてもよいとしその突出部はそのしゃもじ１側面の従来固定形成
とする網目形状でもその突出に値しその弾性体６は本考案形成やその本考
案形成と異なる形成のそれぞれのしゃもじ１に係る部材面やそれぞれのし
ゃもじ１部材が微量でも弾性変形を可能とする形成としまたその示した網
目部材４はその網なる突起が弾性変形することにより徐々に平面に近づく
為力の分散率はその平面に比例して高くなる形成となる。
【００５１】
図６の（ａ）は前記弾力部材１２を繊維質１３としたことを特徴とする
ことを示したものとなりその網目部材４に係る弾力部材１２を繊維質１３
にするということは仮にそのしゃもじ１に係る圧力によりその繊維質１３
は形を変えやすいということに繋がりその繊維質１３の形成一例となるが
その繊維質１３を複数としそれぞれの繊維質１３を変形可能となる樹脂１
４で被覆させることによりその被覆する部材はその繊維質１３なる柔軟性
やその柔軟性を有する部材の集合体と同時にその変形可能な部材１４は形
を伸縮となるその部材変形からの微量なる反発を有する部材となる為その
網目部材４に係るその繊維質１３はその御飯なる圧力を吸収しやすいもの
となりまたその変形可能な部材１４やその繊維質１３に高硬度の部材を設
けることやまたその高硬度部材に係るセラミックをその変形部材や繊維１
３に設けることや仮にその変形部材を円筒状の形成とせずにその円筒状を
圧縮した形状からなるその変形可能な部材１４を薄く形成することにより
その変形可能な部材１４は伸縮なる伸び縮みのそれらの範囲を減らすこと
により壊れにくい部材ができることとなりまたその網目部材４の形成一例
となるが仮にその薄く形成する変形可能な部材１４を左右の網７としその
変形可能な部材１４より硬い部材を上下の網８として編み込みその硬い部
材がその網目部材４となるその部材の頂部に来るように編み込むとその変
形可能な部材１４はその硬い部材で保護させる為その網目部材４を壊れに
くくすることができまた（ｂ）は前記御飯を掬う部分３と取手部分５の境
目３７に該境目３７側面から突出する弾性体３３の突起を設けたことを特
徴とすることを示し仮にその弾性体３３の突起をそのしゃもじ１の裏側面
に設けたものとするがそのしゃもじ１の表側面で利用してもよいものとな
りその弾性体３４によりそのしゃもじ１を握るその突起は心地よい軟らか
い突起となりその突出に違和感を与えにくいものとしまたその突起なる突
出によりそのしゃもじ１の御飯を掬う部分３を浮かせてそのしゃもじ１を
収納する平面に置くことができ更にそのしゃもじ１はその突起によりクッ
ションを有する為その置き場となるその面を傷めることなく静かに置ける
ものとしまたそのしゃもじ１の御飯を掬う部分３に孔２を有する形成とす
る為そのしゃもじ１は軽量となると共にその御飯を掬う部分３は軽くなる
為その御飯を掬う部分３とそのしゃもじ１に係る取手部分５のそれらの重
量なる釣り合いをその取手部分５にその弾性突起を介して重心比率を高め
やすいものとして尚その突起の数は一つ以上となればよいし及びその突起
形状はその図と異なる形成としてもよいものとなり尚そのしゃもじ１なる
その突起なる弾性体３３は仮に一例となるがそのしゃもじ１より滑り止め
効果を有する部材やそのしゃもじより弾力性が増す部材としてもよいとし
またそのしゃもじ１を弾性体６として形成するとその突起なる弾性体３３
のそれぞれの弾性体はそれら記した同じ作用効果となる場合やまたその効
果が下回る場合もある。
【００５２】
図７の（ａ）は一例形成となるが前記網目部材４と取手部分５をポロプ
ロピレン９で形成したことを特徴とすることや前記御飯を掬う部分３と網
目部材４と取手部分５を熱可塑性樹脂１６で形成したことのそれらを示し
それぞれのしゃもじ１に係るその網目部材４やその取手部分５やまたその
御飯を掬う部分３に係る弾性体６の内部をポリプロピレン９で形成するこ
とによりそれらの形成面は耐熱形成となりそのポリプロピレン９なる耐熱
温度は１２０度となる為その示すしゃもじ１に係る部分は熱から守られる
形成となり尚その御飯を掬う部分３に係るその弾性体６なる熱可塑性樹脂
１６はそのポリプロピレン９と異なる形成となる為後述で記すこととなり
またその御飯を掬う部分３とその網目部材４と取手部分５を熱可塑性樹脂
１６とすることにより仮にその御飯を掬う部分３やその網目部材４やその
示す取手部分５を同じ熱可塑性の樹脂で合わせる形成もでき仮にその合わ
せる樹脂は良くシリコン形成で硬く形成させる微量に弾力を有する形成１
２での熱可塑性樹脂１６となり仮にその熱可塑性樹脂のしゃもじ一例とな
るがそのしゃもじ１に係る部材面をナイロンで形成することによりそのナ
イロンの耐熱温度となるおよそ２００度の熱に対応できるしゃもじ１とな
る為そのしゃもじ１をフライパン等の料理にも活用できる部材となり（ｂ）
は前記網目部材４に脂肪酸誘導体１７とエポキシ化植物油１８を含浸させ
たことを特徴とすることを示しその網目部材４のみでもその御飯を確実に
粘着させないことは半永久的に可能となるがその網目部材４に脂肪酸誘導
体１７とエポキシ化植物油１８を加える形成とすることによりそのしゃも
じ１で掬うその御飯はそのエポキシ化植物油１８の滑度によりその御飯の
反発作用性が増す形成となりそのエポキシ化植物油１８はそのしゃもじ１
の洗浄に係る粘着系物質を滑らせる為に使われることがありそのことによ
りそのしゃもじ１は御飯の退く度合いを高めそのしゃもじ１に御飯なる粘
着を防ぐものとしそのしゃもじ１を形成するポイントはやはりそのしゃも
じ１の外周端部に力を入れその御飯を掬う部分３を微弾性とすることとそ
のしゃもじ１の御飯を掬う部分３の側面から突出させる仮に網目形状やそ
の側面から突出する突起形成などそれらの示す形状と異なるしゃもじ１形
状としてもその御飯を掬う部分３に係る部材やその御飯を掬う部分３側面
に形成される部材面に弾力を与えてあげることが一番のその御飯粘着に対
応なせる対策となり次にその御飯を掬う部分３にそのしゃもじ１で掬う御
飯にその樹脂等で形成するしゃもじ１により多くの空気を接触させる形成
にするとその御飯はそのしゃもじ１に付着しないものとなり仮にその御飯
をそのしゃもじ１側面に対しその御飯接触面を５０％以上でもよいが仮に
５０％以下から考慮しその接触なる比率度合いを下げれば下げるほどその
御飯はそのしゃもじ１なる弾力を介してその御飯を即弾きそのしゃもじ１
に密着させないものとなりその御飯を弾く確実性は増すものとなりそのエ
ポキシ化植物油１８の滑度と共にその網目部材４の通気性とその網目部材
４の弾力反発を利用して御飯の粘着を防ぐものとし（ｃ）は前記編目部材
４に滑度を有する滑材１９を含浸させたことを特徴とすることを示し仮に
一例となるがそのしゃもじ１の御飯を掬う部分３を傾斜とすることやまた
曲線とすることで滑度形成となるがその滑材１９には金属なる滑度や樹脂
なる滑度、植物油による滑度、可塑剤を利用する滑度、塗膜による滑度、
含水部材等の水による滑度、電解物質を利用する滑度、その網目部材の温
度変化を利用する滑度というそれぞれはその網７から御飯を退くことに係
る部材あればその滑材１９はその網７より低硬度な部材でも高硬度な部材
でもよいものとしその滑度と共にそのしゃもじ１に係る網目部材４の弾力
なる反発作用性とその網目部材４の通気性を統合させるものとなり（ｄ）
は前記滑材１９をフッ素樹脂２０としたことを特徴とすることを示しその
フッ素樹脂１９を含むオレフィンを重合して得られる合成樹脂の総称であ
り耐熱性または耐薬品性の高さや摩擦係数の少ないことが特徴となる為そ
の網目部材４の空気比率やその網目部材４の弾力なる御飯の反発共にその
耐熱性や耐薬品性のあるフッ素樹脂の滑度を生かしそのしゃもじ１を保護
し御飯の付着を防ぐものとし仮にここで示すそれぞれの滑材は御飯を退く
為の滑材となり仮にその弾性体６の熱可塑性樹脂をエラストマー樹脂とす
ると耐熱温度は１３０度となる弾性体を形成することもでき仮に一例とし
てそのしゃもじ１に係る御飯を掬う部分３や取手部分に係る形成面や部材
等はどのような形状でもその御飯を掬う部分３や取手部分５の一環として
考慮してもよいとする。
【００５３】
図８の（ａ）は前記取手部分５に複数の孔３１を設けたことを特徴とす
ることや前記取手部分５の面積に対して前記複数の孔３１を４０％から６
０％としたことを特徴とすることや形成一例となるが前記取手部分５の後
端部４４に磁石２２を設けたことを特徴とするそれらを示しまずその（ａ）
となるその取手部分５に複数の孔３１を設けることによりその取手部分５
に係る体積面が減る為その取手部分５は軽量となる形成となると共にその
しゃもじ１形成は本考案１なるそのしゃもじ１形成に係るその御飯を掬う
部分３の中央部を孔２形成とする為その御飯を掬う部分３も軽量となる形
成とするそのしゃもじ１全体が軽量部材となりその為そのしゃもじ１に重
量を有する部材を設けることやそのしゃもじ１の取手部分５の後端部４４
に載置部２１を設ける形成とするその後端部４４の面積や体積等がその御
飯を掬う部分３より大きくなることによりそのしゃもじ１全体は重くなる
為そのしゃもじ１のその御飯を掬う部分３やその取手部分５に孔を有する
形成とするそのしゃもじ１によりその載置部２１等の重さは感じさせにく
い形成となりまたその軽量なるしゃもじ１の取手部分５の後端部４４に磁
石４５を設けることによりその磁石４５により金属の側面に取り付けてそ
のしゃもじ１を収納することや金属にそのしゃもじ１をその磁石２１の磁
力を利用して立てかけることができ尚そのしゃもじ１は軽量部材となる為
その軽量になることに比例してその磁石４５の磁力を低下させることがで
きその低下する磁石４５でもそのしゃもじ１は安定し各それぞれの場所に
収納することができまたその磁石４５はそのしゃもじ１に害する金属なる
細菌や埃なる細菌を付着する為一例形成となるがその抗菌材を含む磁石２
２形成によりそのしゃもじ１はあらゆる細菌から保護できるものとしその
示すそのしゃもじ１に係る取手部分５の面積に対するそのしゃもじ１の耐
久性且そのしゃもじ１の軽量化のそれらを目的とすることによりそれぞれ
の孔となる推奨する比率度合いを定めたものとなりその取手部分５の面積
に対しそれぞれの孔３１を３０％とするとその取手部分５はそのしゃもじ
１を軽量とすることが満たないものとなりまたその取手部分５の面積に対
しそれぞれの孔３１を７０％とするとその取手部分５に係る孔３１以外の
部面が少ない為のそのしゃもじ１の損傷に繋がるものとなりまたその取手
部分５の面積に対しそれぞれの孔３１を４０％から６０％とするとそのし
ゃもじ１に係る取手部分５は軽量部材とすることができると共にそれぞれ
の孔３１以外の取手部面はそのしゃもじ１を使用することによる損傷が起
きくい安定した部面となり（ｂ）は形成一例となる前記取手部分５と網目
部材４且御飯を掬う部分３に抗菌材２３を含浸させたことを特徴とするこ
とを示しそのしゃもじ１に係るそれぞれの部材に抗菌材２３を含浸させる
ことによりその御飯を掬う部分３やその御飯を掬う部分３に係る網目部材
４は通気性なる抗菌効果をその御飯を掬う部分３に係る孔２やその網目に
より有すると共にその抗菌材２３によりそのしゃもじ１に係る細菌を保護
するものとなりまたその取手部分５を孔３１形成とすることによりその孔
３１により通気性を有する形成とすると共にその抗菌材２３によりそのし
ゃもじ１に係る細菌を保護するものとしまたそのしゃもじ１の取手部分５
に係るそれぞれの孔３１はその網目部材でその孔３１を有する取手部分を
被覆させる為その複数の孔３１を有する取手部分５はその網目部材４で強
化される為そのしゃもじ１の劣化を防ぐものとなりまたそのしゃもじ１に
係るその取手部分５からなる繋ぎ目３９に係る孔３１はその網目部材４で
被覆させる為そのしゃもじを握るその孔３１に係る親指をそのしゃもじ１
の硬さによる違和感をなくすと共にその親指に係る力をその網目部材４が
あることによりその孔下に係りやすい力を半減させそのしゃもじ１の御飯
を掬う部分３へと力が係りやすいその孔３１前方に力が係る孔３１形成と
する。
【００５４】
図９は前記弾性体６を樹脂製の弾性体４１としたことを特徴とすること
や前記弾性体６を金属２６製の弾性体４２としたことを特徴とすることや
前記弾性体６を木製の弾性体４８としたことを特徴とするそれらを示しま
ずそのしゃもじ１なるその御飯を掬う部分３とその取手部分５に係るしゃ
もじ１形成でそのしゃもじ１に係る弾性体６の強化形成とするその弾性体
６を樹脂製の弾性体４１とすることにより形成一例となるがその弾性体６
を樹脂と弾性部材の樹脂を混合させ形成することによりその弾性体６の硬
さの微調整ができると共にそのしゃもじ１の強度を保たせ壊れにくい部材
とすることができまたその御飯を掬う部分３や取手部分５はその調整した
弾性体６として統一させることによりそのしゃもじ１は簡易的に形成でき
るものとなりまたその御飯を掬う部分３と取手部分５をそのしゃもじ１に
係る弾性体６より硬い部材４０で基盤を形成しその硬い部材４０となるそ
の御飯を掬う部分３にその弾性体６を被覆させることによりその弾性体６
は弾力を有するものとなり更にその弾性体６の内部はその硬い部材４０で
補強される為そのしゃもじは壊れにくい部材となりそのように形成するこ
ともでき次にそのしゃもじ１に係るその御飯を掬う部分３を金属製の弾性
体４２として形成することによりその御飯を掬う部分３に係る孔２をその
御飯を掬う部分３の面積に対し九十％以上の形成とすることもできそのし
ゃもじに係る空気比率度合いを高め御飯を付着しにくい形成にすることが
できまたその御飯を掬う部分３に係るその金属２６の弾性体６とする為そ
の御飯を掬う部分３をそのしゃもじ１で掬う御飯からの圧力をその弾性体
なる弾性変形効果を利用して吸収するものとしその為そのしゃもじ１で掬
う御飯を潰すことなくその御飯の付着を防ぎその金属２６はチタン、クロ
ム、亜鉛、ルテニウム、銀、イリジウム、合金、アルミ合金、ステンレス
とまだここに記さない数々の金属２６はあるがどのような金属２６を使用
してもよいものとなり人体に影響が無い部材であればよいものなり仮にそ
の金属製の弾性体４２をその金属に弾力を有する部材を被覆させるものと
なりまたそのしゃもじの御飯を掬う部分３に係る弾性体６を木製の弾性体
とすることにより香りのよいしゃもじ１となると共に仮にその取手部分５
を木製で形成することによりそのしゃもじは圧力を与えても曲がりにくい
部材となる為通常なるしゃもじ１でも形成できるがその御飯を掬う部分３
の上下長さよりその取手部分５の上下長さが長いしゃもじ１等に対応しや
すいものとなりまた一例となるがそのしゃもじ１形成を全文で記した形成
と異なる単体部材や複数部材を追加させ形成してもよいとしまたその樹脂
製や金属製または木製はそのしゃもじに係る網目部材４として形成しても
よいし仮に一例となるがそのしゃもじに係るその御飯を掬う部分３の部材
と取手部分５の部材となるそれぞれの部材の組み合わせはその金属や樹脂
または木のそれらの何れかを考慮し組み合わせてもよいものとなり仮にそ
のしゃもじ１に係る部材は熱可塑性樹脂もしくは樹脂より熱の伝わりにく
い部材であればよいものとなり仮に一例となるがそのしゃもじ１やそのし
ゃもじ１に係る部材面にそのしゃもじ１の硬度より高硬度な部材や低硬度
な部材の何れかを加えそのしゃもじ１を補強してもよいとする。
【００５５】
図１０の（ａ）は前記しゃもじ１に係る網目部材４の形成一例となるが
その網目基準を仮に北から南なる上下なる網７と西から東なるその左右か
らなる網７のそれらの方向で編み込み網目部材４を形成することが一般と
するがその網７なる基準以外のそれぞれの方向により編み込み形成しても
よいものとなり（ｂ）は通常二本の異なる方向からなるそれらの網７によ
り網込む網目部材４とするがその網７を仮にその図で示す複数網７で形成
する仮にそのように三本の網７となるそれぞれの方向で形成するとその北
から南なるその上下の網７部分に凹凸なる凸部を形成することもできその
ように複数の網７のそれぞれ異なる方向で編み込む部材とすることにより
その網目部材４に模様を形成することができそのような模様なる凹凸によ
りそのしゃもじ１で掬う御飯を退く形成としてもよいものとなりまた（ｃ）
はその網目部材４に係るそれぞれの網７なる大きさを異なる部材としその
それぞれ異なる大きさなる段差によりそのしゃもじ１で掬う御飯を退く形
成とするものとなりその網目部材４は記し示した形状と異なる形成として
もその網７と目８を有する形成であればどのような形状でもその網目部材
４にその網目部材４と異なる部材を設けてもよいものとしまた（ｄ）はそ
の網目部材４に係る複数の網７を曲線の仮に波状形成等のイメージを示し
たものとなりその網７を波状にすることによりその網７なる側面は空気を
拾いやすい凹凸網波形状となりまたその御飯を掬う部分３に孔２を設ける
形成でそのしゃもじ１の御飯を掬う部分３を壊れにくい形成とするその御
飯を掬う部分３と取手部分５の繋ぎ目部分３９にそのしゃもじ１の強度を
補強する補強部材３８を設けて形成してもよいとしまたその網目部材４で
その部材一部を強化させ形成してもよいとし尚その網目部材４のそのしゃ
もじ１の上記で記す実験で行った肉厚は０．５ミリでその左右の網７と上
下の網７の形成なる高さの誤差をさほど有さない網目部材４となりその誤
差が仮に大きいことによりその網目部材４は力の係りやすいその網目誤差
となりそのことを踏まえて考慮し形成すればその網目部材の０．５ミリと
異なる肉厚としてもよいものとなる。
【００５６】
図１１は形成一例となるが前記磁石４５に着脱可能な磁石４５を有する
吸盤４６を設けたことを特徴とすることを示しそのしゃもじ１の収納一例
としてそのしゃもじ１に係る後端部４４に磁石４５を有する形成と共にそ
の磁石４５に着脱可能な磁石４５を有する吸盤４６を設けることによりそ
のしゃもじ１はその吸盤４６を介して指定する置き場に置くことが可能と
なり且その吸盤の移動個所は自由なものとなりその為その御飯を炊くこと
となる炊飯器の横などに御飯を掬う部分３を上向きに垂直に置くことも可
能となる為そのしゃもじ１の使用と収納が便利なものとなり尚そのしゃも
じ１形成は御飯を掬う部分３に孔２を有する形成や形成一例となるがその
取手部分５には複数の孔３１を有する形成となる為そのしゃもじ１をその
御飯を掬う部分３を上向きに置くことでその御飯を掬う部分３やその取手
部分５は軽量なしゃもじ１となる為その吸盤はその軽いしゃもじ１を支え
やすいものとなりまたそのしゃもじ１の収納一例となるがその吸盤４６を
冷蔵庫等の金属部材等に吸着させることによりその吸盤４６は磁石４５を
有する形成とする為その吸盤４６なる吸着と共にその磁石４５の磁力を利
用できるものとなる為その吸盤４６の金属に対する吸着力は増すものとな
りその冷蔵庫に有する吸盤４６にその軽量となるしゃもじ１を取り付ける
ことによりその吸盤は離れにくいものとなりこのしゃもじ１形成の目的は
そのしゃもじ１をできる限り軽量化をして重さなる違和感を与えないこと
やそのしゃもじ１を指定する多数個所に置くことが目的となり且そのしゃ
もじ１の使用と収納を簡易的に行える部材形成としそのしゃもじ１形成の
一例となるが仮にその磁石はそのしゃもじ１に係る部分となればそのしゃ
もじ１のどの部分に設けてもよいものとしまたそのしゃもじ１に係る磁石
４５に対しその磁石４５と着脱可能となる磁石４５は仮にシールなる粘着
材付き磁石４７を壁面に貼るような形成としてもよいものとしその示すし
ゃもじ１形成に係る磁石４５と異なる部材形成としてもよいものとなりま
たそのしゃもじ１は仮にその吸盤４６を平面につけたまま使用しないでそ
のしゃもじ１の後端部に設けた磁石を利用して金属等に着脱可能なしゃも
じ１形成としてもよいものとなりまた仮にその収納一例としてそれぞれの
示す吸着方法に追加形成とするそのしゃもじ１の後端部４４付近にその取
手部分５となる孔３１を設けることによりその孔３１を利用して壁掛けフ
ックにも掛けられるようになりそれぞれの形成により収納幅は広がる為そ
のような収納形成を追加し形成してもよいとし尚その吸盤４６を横滑りの
しにくい形成やその滑りにくい形成とするシリコン等の形成としてもよい
ものとなりその吸盤４６は平面や側面等のその収納部材形状に応じる場所
で着脱可能となれば記した形成と異なる形成でもよいとし仮にその吸盤を
別形成としてもよいとする追加部材や予備部材として形成してもよいとし
その吸盤はゴムや合成樹脂などの可撓性を利用して平滑面に吸着して内部
を真空に近い状態にして気圧や水圧などの圧力の差を利用して物に吸着す
る部品となる。
【符号の説明】
【００５７】
１  考案に係るしゃもじ
２  孔
３  掬う部分
４  網目部材
５  取手部分
６  弾性体
７  網
８  網の目
９  ポリプロピレン
１０  シリコン  
１１  斜面
１２  弾性部材
１３  繊維質
１４  変形可能な部材
１５  高硬度な部材
１６  熱可塑性樹脂
１７  脂肪酸誘導体
１８  エポキシ化植物油
１９  滑材
２０  フッ素樹脂
２１  載置部
２２  抗菌材を含む磁石
２３  抗菌材
２５  樹脂
２６  金属
２７  掬う部分側面からの突出部
２８  網目形成
２９  全文や全図で記したしゃもじと異なる形状しゃもじ
３０  しゃもじから突出するそのしゃもじ側面から異なる形状部分
３１  取手部分の孔
３２  外周端部
３３  突起の弾性体
３４  御飯を掬う部分に係る外周
３５  ドーナツ形状
３６  孔周部
３７  御飯を掬う部分と取手部分の境目
３８  補強部材
３９  繋ぎ目部分
４０  硬い部材
４１  樹脂製の弾性体
４２  金属製の弾性体
４３  弾性体の樹脂
４４  しゃもじの後端部
４５  磁石
４６  吸盤
４７  粘着材付き磁石
４８  木製の弾性体
４９  木
５０  しゃもじの裏側面
５１  網目部材の頂部
５２  御飯を掬う部分に係る先端部
【図１】
0003193874.tif 000003
【図２】
0003193874.tif 000004
【図３】
0003193874.tif 000005
【図４】
0003193874.tif 000006
【図５】
0003193874.tif 000007
【図６】
0003193874.tif 000008
【図７】
0003193874.tif 000009
【図８】
0003193874.tif 000010
【図９】
0003193874.tif 000011
【図１０】
0003193874.tif 000012
【図１１】
0003193874.tif 000013